(57)【要約】      （修正有）【課題】特に少量の顆粒状物質を速やかに取り出すことができる、利便性に優れた顆粒状物質調量取り出し装置を提供する。【解決手段】計量部材２０内に仕切部材３０が固設され、仕切部材３０に計量部材２０と仕切部材３０との間を封止する仕切板３１が設けられ、仕切板３１の一側に中空管３２が設けられ、中空管３２に横方向に切欠き３４が形成され、更に、中空管３２内に調量部材４０が嵌め込まれ、調量部材４０における、切欠き３４と対応する位置に調量孔４１が形成され、また、計量部材２０における、前記調量部材４０と異なる側に取り出し口２５が形成され、セレクタ５０は、計量部材２０を貫いて調量部材４０に固定される。【選択図】図１
0003105031.tif 000002
【実用新案登録請求の範囲】
【請求項１】
容器本体（１０）と、
前記容器本体（１０）内に嵌め込まれ、上端に、取り出し口（２５）と貫通孔（２３）とが対向するように形成される上面板（２１）が設けられると共に、内部における、該取り出し口（２５）と異なる側に弧状壁（２６）が設けられ、該弧状壁（２６）との間に少なくとも一つの第１収容室（２８）が設けられる計量部材（２０）と、
前記計量部材（２０）の内部に固設されると共に、該計量部材（２０）の底面を封止する仕切板（３１）が設けられ、該仕切板（３１）に貫通孔（２３）と対応する中空管（３２）が設けられ、該中空管（３２）に弧状壁（２６）の方向へ伸びる切欠き（３４）が形成されることにより、計量部材（２０）の外周と仕切板（３１）との間に第２収容室（３５）を設ける仕切部材（３０）と、
前記中空管（３２）内に嵌め込まれると共に、該中空管（３２）側の端が開口状を呈し、更に、切欠き（３４）と対応する位置に調量孔（４１）が形成される調量部材（４０）と、
前記計量部材（２０）の上面板（２１）に取付けられると共に、底面に前記貫通孔（２３）を貫通して調量部材（４０）に固定される接合部を有するセレクタ（５０）と、を含むことを特徴とする顆粒状物質調量取り出し装置。
【請求項２】
外蓋（６０）が更に設けられ、該外蓋（６０）は前記容器本体（１０）の上部に設けられるネジ部（１１）に螺合されると共に、計量部材（２０）の上面板（２１）に被嵌され、
前記弧状壁（２６）の底面は切欠き（３４）の上縁より低く、
前記計量部材（２０）における上面板（２１）の一側に、前記貫通孔（２３）が中央に配置されると共に、前記セレクタ（５０）を収容する収容溝（２２）が形成され、該収容溝（２２）の周縁に等間隔で複数の凹部（２４）が形成され、更に、該セレクタ（５０）の底面に凹部（２４）内に係合される凸部（５１）が設けられ、
前記弧状壁（２６）と計量部材（２０）との間に等間隔で少なくとも一つの隔壁板（２７）が設けられることにより、少なくとも二つの第１収容室（２８）に区画され、
前記中空管（３２）の両側にそれぞれ、弧状壁（２６）の両側を封止する補強板（３３）が設けられることを特徴とする請求項１に記載の顆粒状物質調量取り出し装置。
【請求項３】
前記調量部材（４０）の上部に矩形孔（４２）が穿設されると共に、セレクタ（５０）に設けられる接合部は弾性を有する二つの掛止板（５２）からなり、該二つの掛止板（５２）はそれぞれ貫通孔（２３）を貫いて調量部材（４０）における矩形孔（４２）に掛止されることを特徴とする請求項１又は２に記載の顆粒状物質調量取り出し装置。
【考案の詳細な説明】
【技術分野】
【０００１】
本考案は、特に少量の顆粒状物質を速やかに取り出すことができる、利便性に優れた顆粒状物質調量取り出し装置に関するものである。
【背景技術】
【０００２】
従来の顆粒状物質調量取り出し装置としては、本件出願人が先に提出した、中華民国実用新案公告第４６７２８５号「顆粒状物質調量取り出し装置」及び第４６７２８６号「顆粒状物質調量取り出し装置の改良」などがある。
【考案の開示】
【考案が解決しようとする課題】
【０００３】
しかし、前記従来の技術は、共に定量の顆粒状物質しか取り出すことができないため、利便性に優れないと共に、その使用効果も低い。故に、前記従来の技術は更に研究する余地がある。
【課題を解決するための手段】
【０００４】
請求項１に記載の考案は、容器本体（１０）と、
前記容器本体（１０）内に嵌め込まれ、上端に、取り出し口（２５）と貫通孔（２３）とが対向するように形成される上面板（２１）が設けられると共に、内部における、該取り出し口（２５）と異なる側に弧状壁（２６）が設けられ、該弧状壁（２６）との間に少なくとも一つの第１収容室（２８）が設けられる計量部材（２０）と、
前記計量部材（２０）の内部に固設されると共に、該計量部材（２０）の底面を封止する仕切板（３１）が設けられ、該仕切板（３１）に貫通孔（２３）と対応する中空管（３２）が設けられ、該中空管（３２）に弧状壁（２６）の方向へ伸びる切欠き（３４）が形成されることにより、計量部材（２０）の外周と仕切板（３１）との間に第２収容室（３５）を設ける仕切部材（３０）と、
前記中空管（３２）内に嵌め込まれると共に、該中空管（３２）側の端が開口状を呈し、更に、切欠き（３４）と対応する位置に調量孔（４１）が形成される調量部材（４０）と、
前記計量部材（２０）の上面板（２１）に取付けられると共に、底面に前記貫通孔（２３）を貫通して調量部材（４０）に固定される接合部を有するセレクタ（５０）と、を含むことを特徴とする顆粒状物質調量取り出し装置である。
【０００５】
請求項２に記載の考案は、外蓋（６０）が更に設けられ、該外蓋（６０）は前記容器本体（１０）の上部に設けられるネジ部（１１）に螺合されると共に、計量部材（２０）の上面板（２１）に被嵌され、
前記弧状壁（２６）の底面は切欠き（３４）の上縁より低く、
前記計量部材（２０）における上面板（２１）の一側に、前記貫通孔（２３）が中央に配置されると共に、前記セレクタ（５０）を収容する収容溝（２２）が形成され、該収容溝（２２）の周縁に等間隔で複数の凹部（２４）が形成され、更に、該セレクタ（５０）の底面に凹部（２４）内に係合される凸部（５１）が設けられ、
前記弧状壁（２６）と計量部材（２０）との間に等間隔で少なくとも一つの隔壁板（２７）が設けられることにより、少なくとも二つの第１収容室（２８）に区画され、
前記中空管（３２）の両側にそれぞれ、弧状壁（２６）の両側を封止する補強板（３３）が設けられることを特徴とする請求項１に記載の顆粒状物質調量取り出し装置である。
【０００６】
請求項３に記載の考案は、前記調量部材（４０）の上部に矩形孔（４２）が穿設されると共に、セレクタ（５０）に設けられる接合部は弾性を有する二つの掛止板（５２）からなり、該二つの掛止板（５２）はそれぞれ貫通孔（２３）を貫いて調量部材（４０）における矩形孔（４２）に掛止されることを特徴とする請求項１又は２に記載の顆粒状物質調量取り出し装置である。
【考案の効果】
【０００７】
本考案は、容器本体と、前記容器本体内に嵌め込まれ、上端に、取り出し口と貫通孔とが対向するように形成される上面板が設けられると共に、内面における、該取り出し口と異なる側に弧状壁が設けられ、該弧状壁との間に少なくとも一つの第１収容室が設けられる計量部材と、前記計量部材の内部に固設されると共に、該計量部材の底面を封止する仕切板が設けられ、該仕切板に貫通孔と対応する中空管が設けられ、該中空管に弧状壁の方向へ伸びる切欠きが形成されことにより、計量部材の外周と仕切板との間に第２収容室を設ける仕切部材と、前記中空管内に嵌め込まれると共に、該中空管側の端が開口状を呈し、切欠きと対応する位置に調量孔が形成される調量部材と、前記計量部材の上面板に取付けられると共に、底面に前記貫通孔を貫通して調量部材に固定される接合部を有するセレクタと、から構成されることから、調整時の操作性に優れると共に、少量の顆粒状物質も取り出すことができるので、使用効果も高い。故に、実用性に優れた顆粒状物質調量取り出し装置を提供することができる。
【０００８】
更に、本考案は使用上次に示す様な効果がある。
【０００９】
１．本考案は、セレクタで直接に調量部材を回転移動させることにより、取り出し量        を調整すると共に、セレクタが露出する計量部材の表面には調量を行なうための標      示体を有するので、使用上の利便性が高く、且つ操作が非常に分かりやすい。
【００１０】
２．本考案は、セレクタの回転角度により調量孔と切欠きとの間の開口サイズを制御        することによって、顆粒状物質の取り出し量を調整するので、使用者が必要な分だ      け精確に取り出すことができると共に、微調整を行なうこともできる。
【考案を実施するための最良の形態】
【００１１】
以下、添付図面を参照して本考案の好適な実施の形態を詳細に説明する。
図１は本考案に係る顆粒状物質調量取り出し装置の分解斜視図であり、図２は本考案に係る顆粒状物質調量取り出し装置の側面断面図であり、図３は本考案に係る顆粒状物質調量取り出し装置の使用状態を示す部分側面断面図であり、図４は本考案に係る顆粒状物質調量取り出し装置において顆粒状物質をやや多めに取り出す状態を示す平面断面図であり、図５は本考案に係る顆粒状物質調量取り出し装置において顆粒状物質を少なめに取り出す状態を示す平面断面図である。
【００１２】
図１及び図２に示すように、本考案の顆粒状物質調量取り出し装置は、容器本体（１０）、計量部材（２０）、仕切部材（３０）、調量部材（４０）、セレクタ（５０）及び外蓋（６０）から成り、前記容器本体（１０）の上部外周縁にはネジ部（１１）が設けられる。
【００１３】
前記計量部材（２０）は、容器本体（１０）内に嵌め込まれると共に、その上端に封止状の上面板（２１）が設けられ、該上面板（２１）の周縁はネジ部（１１）の上端に位置する。更に、上面板（２１）の一側に収容溝（２２）が形成されると共に、上面板（２１）における収容溝（２２）の一側に、表面に徐々に小さくなる複数の調量標示部（２９０）を有する弧状の標示体（２９）が設けられ、該標示体（２９）は使用者に対して取り出し量を示すものである。また、前記収容溝（２２）の中央に貫通孔（２３）が形成されると共に、周縁に等間隔で凹部（２４）が形成され、上面板（２１）における、収容溝（２２）と異なる側に取り出し口（２５）が形成され、計量部材（２０）の内部における、該取り出し口（２５）と異なる側に弧状壁（２６）が設けられ、該弧状壁（２６）と計量部材（２０）との間に少なくとも一つの第１収容室（２８）が設けられる。また、前記弧状壁（２６）と計量部材（２０）との間に等間隔で、少なくとも一つの隔壁板（２７）が設けられることにより、少なくとも二つの第１収容室（２８）に区画される。
【００１４】
前記仕切部材（３０）は、計量部材（２０）の内部に固設されると共に、該計量部材（２０）の底面を封止する仕切板（３１）が設けられ、該仕切板（３１）に貫通孔（２３）と対応する中空管（３２）が設けられ、該中空管（３２）の両側にそれぞれ弧状壁（２６）の両側を封止する補強板（３３）が設けられ、更に、該中空管（３２）には弧状壁（２６）の方向へ伸びる切欠き（３４）が形成される。また、前記計量部材（２０）の外周と仕切板（３１）との間に第２収容室（３５）が設けられると共に、前記弧状壁（２６）の底面は切欠き（３４）の上縁より低い構成となっている。
【００１５】
前記調量部材（４０）は、中空管（３２）内に嵌め込まれると共に、該中空管（３２）側の端が開口状を呈し、更に、調量部材（４０）における、切欠き（３４）と対応する位置に調量孔（４１）が形成されると共に、調量部材（４０）の上部に矩形孔（４２）が穿設される。
【００１６】
前記セレクタ（５０）の底面周縁に凹部（２４）内に係合される凸部（５１）が設けられると共に、中央に二つの接合部が設けられ、該二つの接合部は弾性を有する二つの掛止板（５２）であり、それらはそれぞれ貫通孔（２３）を貫いて調量部材（４０）における矩形孔（４２）に掛止される。
【００１７】
前記外蓋（６０）は、計量部材（２０）の上面板（２１）に被嵌されると同時に、容器本体（１０）におけるネジ部（１１）に螺合される。
【００１８】
また、本考案の顆粒状物質調量取り出し装置を使用する時は、図３乃至図５に示すように、先ず前記容器本体（１０）から外蓋（６０）を取外し、セレクタ（５０）を回して二つの掛止板（５２）に調量部材（４０）を連動させて該調量部材（４０）を回転させ、セレクタ（５０）の凸部（５１）を凹部（２４）間において移動させる。これにより、使用者はセレクタ（５０）を回すだけで、簡単に調量孔（４１）と切欠き（３４）との間における開放サイズを制御でき、且つ容器本体（１０）を傾けて顆粒状物質（７０）を取り出す時も取り出し作業が非常に楽になる。更に、使用者が、少量の顆粒状物質（７０）を取り出ししたい時は、例えば、一つの第１収容室（２８）に顆粒状物質（７０）を収容させ、また、大量の顆粒状物質（７０）を取り出したい時は、３つの第１収容室（２８）に顆粒状物質（７０）を収容させる。続いて、容器本体（１０）を傾けて第１収容室（２８）における顆粒状物質（７０）を第２収容室（３５）に移動させ、その後、所定量の顆粒状物質（７０）を取り出し口（２５）から取り出す。前記構成によれば、使用者は容易に顆粒状物質（７０）の取り出し作業を行なうことができるので、利便性に優れた顆粒状物質調量取り出し装置を提供することができる。
【図面の簡単な説明】
【００１９】
【図１】本考案に係る顆粒状物質調量取り出し装置の分解斜視図である。
【図２】本考案に係る顆粒状物質調量取り出し装置の側面断面図である。
【図３】本考案に係る顆粒状物質調量取り出し装置の使用状態を示す部分側面断面図である。
【図４】本考案に係る顆粒状物質調量取り出し装置において顆粒状物質をやや多めに取り出す状態を示す平面断面図である。
【図５】本考案に係る顆粒状物質調量取り出し装置において顆粒状物質を少なめに取り出す状態を示す平面断面図である。
【符号の説明】
【００２０】
１０  容器本体
１１  ネジ部
２０  計量部材
２１  上面板
２２  収容溝
２３  貫通孔
２４  凹部
２５  取り出し口
２６  弧状壁
２７  隔壁板
２８  第１収容室
２９  標示体
２９０  調量標示部
３０  仕切部材
３１  仕切板
３２  中空管
３３  補強板
３４  切欠き
３５  第２収容室
４０  調量部材
４１  調量孔
４２  矩形孔
５０  セレクタ
５１  凸部
５２  掛止板
６０  外蓋
７０  顆粒状物質
【図１】
0003105031.tif 000003
【図２】
0003105031.tif 000004
【図３】
0003105031.tif 000005
【図４】
0003105031.tif 000006
【図５】
0003105031.tif 000007